(57)【要約】      （修正有）【課題】会員認証の後、電子図書を借りて閲覧し、期間満了時に貸出された電子図書を自動で削除するインターネットを用いた電子図書館運営方法を提供する。【解決手段】図書館管理サーバは、ユーザPCと前記インターネットを介し連結され、ユーザの会員認証及び会員関連情報を格納/管理し、前記認証された会員に電子図書ウェブページを提供し、コンテンツまたは電子図書に関する目録を提供し、前記会員が選択したコンテンツをリアルタイムで提供し、選択した電子図書に対する貸出政策による電子図書貸出情報を格納/管理し、前記電子図書ウェブページのマイライブラリで前記選択された電子図書を前記会員が閲覧できるように提供する。コンテンツまたは電子図書が格納され、前記会員関連情報と前記貸出政策による電子図書貸出情報が格納される図書館データベースを含む。電子図書貸出期間満了時に延長または返却如何によって貸し出された電子図書を自動で削除する。【選択図】図１
2008262518.tif 000002
【特許請求の範囲】
【請求項１】
ユーザPCを備えたインターネットを用いた電子図書館運営システムにおいて、
前記ユーザPCと前記インターネットを介し連結されてユーザの会員認証及びそれによる会員関連情報を格納/管理し、前記認証された会員に電子図書ウェブページを提供し、前記会員から要請されたコンテンツまたは電子図書に関する目録を前記会員に提供し、前記会員が選択したコンテンツを前記会員にリアルタイムで提供したり前記会員が選択した電子図書に対する貸出政策による電子図書貸出情報を格納/管理して前記電子図書ウェブページのマイライブラリに前記選択された電子図書を貸出/格納して前記会員が閲覧するように提供する図書館管理サーバ;及び
前記図書館管理サーバの制御によって多数のコンテンツまたは電子図書が既に格納され、前記会員関連情報と前記貸出政策による電子図書貸出情報が格納される図書館データベースを備えることを特徴とするインターネットを用いた電子図書館運営システム。
【請求項２】
前記貸出政策は, ユーザ別電子図書貸出可能冊数及びユーザ別電子図書貸出期間を含むことを特徴とする請求項1に記載のインターネットを用いた電子図書館運営システム。
【請求項３】
前記電子図書管理サーバは前記会員に前記貸出政策による電子図書貸出情報に従って貸し出した電子図書のユーザ別電子図書貸出期間が満了する場合、前記貸出政策によって延長及び返却如何を検索して前記検索結果、未延長及び未返却の場合、前記電子図書ウェブページのマイライブラリに格納された貸出電子図書を自動で削除することを特徴とする請求項1または2に記載のインターネットを用いた電子図書館運営システム。
【請求項４】
ユーザPCと図書館管理サーバと図書館データベースを備えたインターネットを用いた電子図書館運営方法において、
前記図書館管理サーバが前記ユーザPCを通じてインターネットに接続したユーザが会員なのかを確認し、認証された会員の場合には電子図書ウェブページを提供する段階;
前記図書館管理サーバが前記会員から要請されたコンテンツまたは電子図書に関する目録を前記図書館データベースで検索して電子図書ウェブページに提供する段階;及び
前記図書館管理サーバが前記会員が選択したコンテンツまたは電子図書及び前記電子図書に対する貸出政策による電子図書貸出情報を前記図書館データベースに格納した後、前記選択されたコンテンツを前記会員にリアルタイムで提供したり前記選択された電子図書を前記図書館管理サーバの電子図書ウェブページ内のマイライブラリに貸出/格納して前記会員が閲覧するように提供する段階を備えることを特徴とするインターネットを用いた電子図書館運営方法。
【請求項５】
前記貸出政策はユーザ別電子図書貸出可能冊数及びユーザ別電子図書貸出期間を含むことを特徴とする請求項5に記載のインターネットを用いた電子図書館運営方法。
【請求項６】
前記図書館管理サーバが前記会員に前記貸出政策による電子図書貸出情報に従って貸し出した電子図書のユーザ別電子図書貸出期間が満了する場合、前記貸出政策によって延長及び返却如何を検索する段階;及び
前記検索結果、未延長及び未返却の場合、前記図書館管理サーバが前記電子図書ウェブページのマイライブラリに格納された貸出電子図書を自動で削除する段階をさらに備えることを特徴とする請求項4または5に記載のインターネットを用いた電子図書館運営方法。
【請求項７】
ユーザPCを備えたインターネットを用いた電子図書館運営システムにおいて、
前記ユーザPCと前記インターネットを介し連結されてユーザの会員認証及びそれによる会員関連情報を格納/管理し、前記認証された会員に電子図書ウェブページを提供し、前記会員から要請されたコンテンツまたは電子図書に関する目録を前記会員に提供し、前記会員が選択したコンテンツを前記会員にリアルタイムで提供したり前記会員が選択した電子図書に対する貸出政策による電子図書貸出情報により貸し出された電子図書を前記電子図書ウェブページのマイライブラリに格納して前記会員が閲覧できるようにする図書館管理サーバ;及び
前記図書館管理サーバと連動して前記会員から要請されたコンテンツまたは電子図書の目録を前記図書館管理サーバに提供し、前記会員が選択したコンテンツを会員にリアルタイムで提供するように前記選択されたコンテンツを前記図書館管理サーバに提供したり前記会員が選択した電子図書に対する貸出政策による電子図書貸出情報を格納/管理して前記電子図書ウェブページのマイライブラリに前記選択された電子図書を貸出/格納するように提供する電子図書管理サーバを含むことを特徴とするインターネットを用いた電子図書館運営システム。
【請求項８】
前記貸出政策はユーザ別電子図書貸出可能冊数及びユーザ別電子図書貸出期間を含むことを特徴とする請求項7に記載のインターネットを用いた電子図書館運営システム。
【請求項９】
前記電子図書管理サーバが前記会員に前記貸出政策による電子図書貸出情報に従って貸し出した電子図書のユーザ別電子図書貸出期間が満了する場合、前記貸出政策によって延長及び返却如何を検索して前記検索結果、未延長及び未返却の場合、前記電子図書ウェブページのマイライブラリに格納された貸出電子図書を自動で削除することを特徴とする請求項7または8に記載のインターネットを用いた電子図書館運営システム。
【請求項１０】
ユーザPCと図書館管理サーバ及び電子図書管理サーバを備えたインターネットを用いた電子図書館運営方法において、
前記図書館管理サーバが前記ユーザPCを通じてインターネットに接続したユーザが会員なのかを確認し、認証された会員の場合には電子図書ウェブページを提供する段階;
前記図書館管理サーバが前記会員から要請されたコンテンツまたは電子図書に関する目録を前記図書管理サーバに要請する段階;
前記電子図書管理サーバから前記要請されたコンテンツまたは電子図書に関する目録を前記図書館管理サーバに転送する段階;
前記図書館管理サーバが前記転送されたコンテンツまたは電子図書に関する目録を前記電子図書ウェブページに提供して前記会員が選択したコンテンツまたは電子図書及び前記電子図書に対する貸出政策による電子図書貸出情報を前記電子図書管理サーバに転送する段階;及び
前記電子図書管理サーバが前記転送されたコンテンツまたは電子図書及び前記電子図書貸出情報に従って前記電子図書貸出情報を格納した後、前記選択されたコンテンツをリアルタイムで提供したり前記選択された電子図書を前記図書館管理サーバの電子図書ウェブページ内のマイライブラリに貸出/格納するように提供する段階を備えることを特徴とするインターネットを用いた電子図書館運営方法。
【請求項１１】
前記貸出政策はユーザ別電子図書貸出可能冊数及びユーザ別電子図書貸出期間を含むことを特徴とする請求項10に記載のインターネットを用いた電子図書館運営方法。
【請求項１２】
前記電子図書管理サーバが前記会員に前記貸出政策による電子図書貸出情報に従って貸し出した電子図書のユーザ別電子図書貸出期間が満了する場合、前記貸出政策によって延長及び返却如何を検索する段階;及び
前記検索結果、未延長及び未返却の場合、前記電子図書管理サーバが前記電子図書ウェブページのマイライブラリに格納された貸出電子図書を自動で削除する段階をさらに備えることを特徴とする請求項10または11に記載のインターネットを用いた電子図書館運営方法。
【発明の詳細な説明】
【技術分野】
【０００１】
本発明はインターネットを用いた電子図書館運営システム及び方法に関するものであって、さらに詳細には電子図書館に接続して会員認証を受けた後、選択されたE-ラーニングコンテンツ(E-Learning contents) あるいはデジタルコンテンツ(digital contents)をリアルタイムで閲覧したり選択された電子図書を借りて閲覧するようにし、電子図書貸出期間満了時に延長または返却如何によって貸し出された電子図書を自動で削除するようにしたインターネットを用いた電子図書館運営システム及び方法に関するものである。
【背景技術】
【０００２】
一般に、従来の実際の図書館を利用/運用する時には、物理的空間や時間上の制限による該当図書の貸出/返却/予約/延長上の複雑な手続、制限性などの問題が伴うだけでなく、図書館管理及び運営上の財政的、空間的限界及び図書館利用者の接近可能性などを含む全般的な問題があった。
【０００３】
電子ブック図書館(e-Library)とは、インターネットを通じてデジタル形態で格納された情報(eBook)を、認証手続を踏んで貸出及び閲覧方式でサービスすることを言う。
【０００４】
また、電子図書(電子ブック)とは、既存のコンテンツを紙に印刷する方式ではなく、デジタル形態で製作したもので、ウェブで認証された手続を踏みPCにダウンロードしたり携帯電話、PDA、専用端末などに搭載して携帯することができるものである。
【０００５】
このような一般的な電子ブックは時間と空間の制約なしに高品質の情報を提供し、インターネットが連結されたオンライン環境ならばどこででも閲覧が可能で、電子ブックの検索だけでなく望みの内容(単語、文章など)を探す検索機能をサポートし、紙の本に比べて安くて破損の危険がなく永久的な保管が可能な各種利点がある。
【０００６】
従って、前記の電子ブックをインターネット上で体系的に管理、運営できる必要性が台頭している。
【発明の開示】
【発明が解決しようとする課題】
【０００７】
従って、本発明は前記のような問題を解決するために案出したもので、図書館の利用時間に図書を借りることができなかったユーザに紙の媒体からなる図書の代わりに電子図書館に接続して会員認証を受けた後、選択されたE-ラーニングコンテンツ(E-Learning contents) あるいはデジタルコンテンツ(digital contents)をリアルタイムで閲覧したり、選択された電子図書を借りて閲覧するようにし、電子図書貸出期間満了時に延長または返却如何によって貸し出された電子図書を自動で削除するようにしたインターネットを用いた電子図書館運営システム及び方法を提供することにその目的がある。
【発明の効果】
【０００８】
以上で説明した通り本発明によるインターネットを用いた電子図書館運営システム及び方法は、図書館利用時間に図書を借りることができなかったユーザに紙の媒体からなる図書の代わりに電子図書館に接続して会員認証を受けた後、選択されたE-ラーニングコンテンツ(E-Learning contents) あるいはデジタルコンテンツ(digital contents)をリアルタイムで閲覧したり選択された電子図書を借りて閲覧するようにし、電子図書貸出期間満了時に延長または返却如何によって借りた電子図書を自動で削除するようにすることによって、ユーザに電子図書館利用時の便宜性を提供することができる効果がある。
【課題を解決するための手段】
【０００９】
前記のような目的を達成するための本発明によるインターネットを用いた電子図書館運営システムの特徴は、ユーザPCを備えたインターネットを用いた電子図書館運営システムにおいて、前記ユーザPCと前記インターネットを介し連結され、ユーザの会員認証及びそれによる会員関連情報を格納/管理し、前記認証された会員に電子図書ウェブページを提供し、前記会員から要請されたコンテンツまたは電子図書に関する目録を前記会員に提供し、前記会員が選択したコンテンツを前記会員にリアルタイムで提供したり前記会員が選択した電子図書に対する貸出政策による電子図書貸出情報を格納/管理して、前記電子図書ウェブページのマイライブラリに前記選択された電子図書を貸出/格納し、前記会員が閲覧できるように提供する図書館管理サーバ;及び前記図書館管理サーバの制御によって多数のコンテンツまたは電子図書が既に格納され、前記会員関連情報と前記貸出政策による電子図書貸出情報が格納される図書館データベースを備える。
【００１０】
また、本発明によるインターネットを用いた電子図書館運営システムにおいて、前記貸出政策はユーザ別電子図書貸出可能冊数及びユーザ別電子図書貸出期間を含むことを特徴とする。
【００１１】
また、本発明によるインターネットを用いた電子図書館運営システムにおいて、前記電子図書管理サーバは前記会員に前記貸出政策による電子図書貸出情報に従って貸し出した電子図書のユーザ別電子図書貸出期間が満了する場合、前記貸出政策によって延長及び返却如何を検索し、前記検索結果、未延長及び未返却の場合、前記電子図書ウェブページのマイライブラリに格納された貸出電子図書を自動で削除することを特徴とする。
【００１２】
前記のような目的を達成するための本発明によるインターネットを用いた電子図書館運営方法の特徴は、ユーザPCと図書館管理サーバと図書館データベースを備えたインターネットを用いた電子図書館運営方法において、前記図書館管理サーバが前記ユーザPCを介してインターネットに接続したユーザが会員なのかを確認し、認証された会員の場合、電子図書ウェブページを提供する段階;前記図書館管理サーバが前記会員から要請されたコンテンツまたは電子図書に関する目録を前記図書館データベースで検索して電子図書ウェブページに提供する段階;及び前記図書館管理サーバが前記会員が選択したコンテンツまたは電子図書及び前記電子図書に対する貸出政策による電子図書貸出情報を前記図書館データベースに格納した後、前記選択されたコンテンツを前記会員にリアルタイムで提供したり前記選択された電子図書を前記図書館管理サーバの電子図書ウェブページ内のマイライブラリに貸出/格納して前記会員が閲覧できるように提供する段階を備える。
【００１３】
また、本発明によるインターネットを用いた電子図書館運営方法において、前記図書館管理サーバが前記会員に前記貸出政策による電子図書貸出情報に従って貸し出した電子図書のユーザ別電子図書貸出期間が満了する場合、前記貸出政策によって延長及び返却如何を検索する段階;及び前記検索結果、未延長及び未返却の場合、前記図書館管理サーバが前記電子図書ウェブページのマイライブラリに格納された貸出電子図書を自動で削除する段階をさらに備えることを特徴とする。
【００１４】
前記のような目的を達成するための本発明によるインターネットを用いた電子図書館運営システムの特徴は、ユーザPCを備えたインターネットを用いた電子図書館運営システムにおいて、前記ユーザPCと前記インターネットを介し連結されてユーザの会員認証及びそれによる会員関連情報を格納/管理し、前記認証された会員に電子図書ウェブページを提供し、前記会員から要請されたコンテンツまたは電子図書に関する目録を前記会員に提供し、前記会員が選択したコンテンツを前記会員にリアルタイムで提供したり前記会員が選択した電子図書に対する貸出政策による電子図書貸出情報により貸し出された電子図書を前記電子図書ウェブページのマイライブラリに格納して、前記会員が閲覧するようにする図書館管理サーバ;及び前記図書館管理サーバと連動して前記会員から要請されたコンテンツまたは電子図書の目録を前記図書館管理サーバに提供し、前記会員が選択したコンテンツを会員にリアルタイムで提供するように前記選択されたコンテンツを前記図書館管理サーバに提供したり前記会員が選択した電子図書に対する貸出政策による電子図書貸出情報を格納/管理し、前記電子図書ウェブページのマイライブラリに前記選択された電子図書を貸出/格納するように提供する電子図書管理サーバを備える。
【００１５】
また、本発明によるインターネットを用いた電子図書館運営システムにおいて、前記電子図書管理サーバが前記会員に前記貸出政策による電子図書貸出情報に従って貸し出した電子図書のユーザ別電子図書貸出期間が満了する場合、前記貸出政策によって延長及び返却如何を検索し、前記検索結果、未延長及び未返却の場合、前記電子図書ウェブページのマイライブラリに格納された貸出電子図書を自動で削除することを特徴とする。
【００１６】
前記のような目的を達成するための本発明によるインターネットを用いた電子図書館運営方法の特徴は、ユーザPCと図書館管理サーバ及び電子図書管理サーバを備えたインターネットを用いた電子図書館運営方法において、前記図書館管理サーバが前記ユーザPCを介してインターネットに接続したユーザが会員なのかを確認し、認証された会員の場合、電子図書ウェブページを提供する段階;前記図書館管理サーバが前記会員から要請されたコンテンツまたは電子図書に関する目録を前記図書管理サーバに要請する段階;前記電子図書管理サーバから前記要請されたコンテンツまたは電子図書に関する目録を前記図書館管理サーバに転送する段階;前記図書館管理サーバが前記転送されたコンテンツまたは電子図書に関する目録を前記電子図書ウェブページに提供し、前記会員が選択したコンテンツまたは電子図書及び前記電子図書に対する貸出政策による電子図書貸出情報を前記電子図書管理サーバに転送する段階;及び前記電子図書管理サーバが前記転送されたコンテンツまたは電子図書及び前記電子図書貸出情報に従って前記電子図書貸出情報を格納した後、前記選択されたコンテンツをリアルタイムで提供したり前記選択された電子図書を前記図書館管理サーバの電子図書ウェブページ内のマイライブラリに貸出/格納するように提供する段階を備える。
【００１７】
また、本発明によるインターネットを用いた電子図書館運営方法において、前記電子図書管理サーバが前記会員に前記貸出政策による電子図書貸出情報に従って貸し出した電子図書のユーザ別電子図書貸出期間が満了する場合、前記貸出政策によって延長及び返却如何を検索する段階;及び前記検索結果、未延長及び未返却の場合、前記電子図書管理サーバが前記電子図書ウェブページのマイライブラリに格納された貸出電子図書を自動で削除する段階をさらに備えることを特徴とする。
【００１８】
本発明の他の目的、特徴及び利点は、添付した図面を参照した実施例の詳細な説明によって明白になる。
【発明を実施するための最良の形態】
【００１９】
以下、本発明によるインターネットを用いた電子図書館運営システム及び方法について、添付した図面を参照して詳細に説明すれば次の通りである。
【００２０】
図1は本発明によるインターネットを用いた電子図書館運営システムの概略的な構成の一実施例を示した図面である。
【００２１】
図1を参照すれば、インターネットを用いた電子図書館運営システムの概略的な構成の他の実施例はユーザPC110と、インターネット120と、図書館管理サーバ130と、図書館データベース140を備える。
【００２２】
前記ユーザPC110はユーザの操作によって前記インターネット120を通じて前記図書館管理サーバ130のウェブページに接続した後、ユーザに対する会員認証を受けた後に前記図書館管理サーバ130から提供された電子図書ウェブページで前記認証された会員が望みのコンテンツまたは電子図書に関する目録を前記図書館管理サーバ130から転送を受けて前記会員に提供し、前記会員が選択したコンテンツを前記図書館管理サーバ130からリアルタイムで提供されて閲覧可能なようにしたり前記会員が選択した電子図書に対して既に設定された貸出政策による電子図書貸出情報の入力を受けて前記図書館管理サーバ130に転送し、前記図書館管理サーバ130の電子図書ウェブページ内の前記会員のマイライブラリに貸出格納された電子図書を閲覧可能なようにする。
【００２３】
前記図書館管理サーバ130は前記ユーザPC110と前記インターネット120を通じて連結されてユーザの会員認証及びそれによる会員関連情報を前記図書館データベース140に格納/管理し、前記認証された会員に電子図書ウェブページを提供し、前記会員から要請されたコンテンツまたは電子図書に関する目録を前記電子図書ウェブページに転送して前記会員に提供し、前記会員が選択したコンテンツを前記会員にリアルタイムで提供したり前記会員が選択した電子図書に対する貸出政策による電子図書貸出情報を前記図書館データベース140に格納し、前記電子図書ウェブページ内の前記会員のマイライブラリに前記選択された電子図書を貸出/格納して前記会員が閲覧することができるようにする。
【００２４】
前記図書館データベース140には前記図書館管理サーバ130の制御によって多数のコンテンツまたは電子図書が既に格納され、前記ユーザの会員情報及び前記電子図書ウェブページ内の前記会員のマイライブラリに相応する領域に貸し出された電子図書が格納される。
【００２５】
図２は本発明によるインターネットを用いた電子図書館運営方法の一実施例を示した図面であり、図３は本発明によるインターネットを用いた電子図書館運営システムの概略的な構成の他の実施例を示した図面である。
【００２６】
図３を参照すれば、インターネットを用いた電子図書館運営システムの概略的な構成の他の実施例はユーザPC210と、インターネット220と、図書館管理サーバ230と、図書館データベース240と、電子図書管理サーバ250と、電子図書/コンテンツデータベース260を備える。
【００２７】
前記ユーザPC210はユーザの操作によって前記インターネット220を通じて前記図書館管理サーバ230のウェブページに接続した後、会員認証を受けた後に前記図書館管理サーバ230から提供された電子図書ウェブページで前記認証された会員が望みのコンテンツまたは電子図書に関する目録を前記図書館管理サーバ230から転送を受けて前記会員に提供し、前記会員が選択したコンテンツを前記図書館管理サーバ230からリアルタイムで提供を受けて閲覧可能なようにしたり前記会員が選択した電子図書に対して既に設定された貸出政策による電子図書貸出情報の入力を受けて前記図書館管理サーバ230に転送し、前記図書館管理サーバ230の電子図書ウェブページ内の前記会員のマイライブラリに貸出格納された電子図書を閲覧可能なようにする。
【００２８】
前記図書館管理サーバ230は前記ユーザPC110と前記インターネット120を通じて連結されてユーザの会員認証及びそれによる会員関連情報を前記図書館データベース240に格納管理し、前記認証された会員に電子図書ウェブページを提供し、前記会員から要請されたコンテンツまたは電子図書に関する目録を前記電子図書管理サーバ250に要請/転送を受けて前記会員に提供し、前記会員が選択したコンテンツを前記電子図書管理サーバ250から転送を受けてリアルタイムで提供したり前記会員が選択した電子図書を前記電子図書管理サーバ250から転送を受けて前記電子図書ウェブページ内の前記会員のマイライブラリに格納して前記会員が閲覧可能なようにする。
【００２９】
前記図書館データベース240には前記図書館管理サーバ230の制御によって前記ユーザの会員情報及び前記電子図書ウェブページ内の前記会員のマイライブラリに相応する領域に貸し出された電子図書が格納される。
【００３０】
前記電子図書管理サーバ250は多数のコンテンツ及び電子図書が前記電子図書/コンテンツデータベース260に既に格納されるように制御し、前記図書館管理サーバ230と連動して前記認証された会員から要請されるコンテンツまたは電子図書目録を前記電子図書/コンテンツデータベース260で検索して前記図書館管理サーバ230も転送し、前記会員が選択したコンテンツをまたは前記会員が選択した電子図書による電子図書貸出情報を前記電子図書/コンテンツデータベース260に格納し、前記電子図書ウェブページ内の前記会員のマイライブラリに前記選択された電子図書を貸出/格納するように前記図書館管理サーバ130に転送する。
【００３１】
前記電子図書/コンテンツデータベース260には電子図書管理サーバ250の制御によって多数のコンテンツ及び電子図書が既に格納され、前記図書館管理サーバ130から転送された前記会員が選択した電子図書による電子図書貸出情報が格納される。
【００３２】
図４は本発明によるインターネットを用いた電子図書館運営方法の他の実施例を示した図面である。
【００３３】
このように構成された本発明によるインターネットを用いた電子図書館運営システム及び方法について、添付した図面を参照して詳細に説明すれば次の通りである。
【００３４】
［第1実施例］
図1は本発明によるインターネットを用いた電子図書館運営システムの概略的な構成の一実施例を示した図面であり、図２は本発明によるインターネットを用いた電子図書館運営方法の一実施例を示した図面である。
【００３５】
まず、図１及び図２を参照すれば、ユーザは電子図書館からコンテンツまたは電子図書を借りるためにユーザPC110を用いてインターネット120を通じて図書館管理サーバ130のウェブページに接続し、会員認証を受ける(S1,  S2)。このような会員認証手続は公知技術であるので、これに関する説明は省略することにする。
【００３６】
そうすると、図書館管理サーバ130は前記認証された会員に電子図書ウェブページを提供する(S3)。
【００３７】
続いて、前記認証された会員はユーザPC110を用いて前記電子図書ウェブページで望みのコンテンツまたは電子図書に関する目録を前記図書館管理サーバ130に要請する。前記コンテンツは一実施例として、E-ラーニングコンテンツ(E-Learning contents) あるいはデジタルコンテンツ(digital contents)などである。
【００３８】
そうすると、図書館管理サーバ130は前記会員から要請されたコンテンツまたは電子図書に関する目録を図書館データベース140で検索して前記要請されたコンテンツまたは電子図書に関する目録を前記電子図書ウェブページに提供する(S4)。この時、図書館管理サーバ130は前記検索されたコンテンツまたは電子図書デジタル著作権管理(Digital Rights Management)認証を行った後、前記電子図書ウェブページに提供することができる。
【００３９】
続いて、前記認証された会員は前記電子図書ウェブページに提供されたコンテンツまたは電子図書に関する目録から望みのコンテンツまたは電子図書及び前記電子図書に対する貸出政策による電子図書貸出情報を選択し、前記ユーザPC110を用いて前記図書館管理サーバ130に転送する。
【００４０】
そうすると、図書館管理サーバ130は前記ユーザPC110から転送された前記会員が選択した電子図書に対する貸出政策による電子図書貸出情報を前記図書館データベース140に格納(S5)した後、前記選択したコンテンツをリアルタイムで前記会員に提供したり前記選択された電子図書を前記電子図書ウェブページ内の前記会員のマイライブラリに貸出/格納する(S6)。
【００４１】
これにより、前記認証された会員は前記ユーザPC110を用いて前記図書館管理サーバ130の電子図書ウェブページにリアルタイムで提供されるコンテンツを閲覧したり、前記電子図書ウェブページ内の前記会員のマイライブラリで貸し出された前記選択された電子図書を閲覧する。
【００４２】
その後、図書館管理サーバ130は前記会員に貸し出された電子図書に対して前記貸出政策による電子図書貸出情報の貸出期間満了如何を検索(S7)した後、前記S7段階での検索結果、貸出期間が満了していない場合、貸出期間延長如何を検索する(S8)。
【００４３】
前記S8段階での検索結果、延長されている場合、図書館管理サーバ130は前記S7段階を進行し、前記S7段階での検索結果、前記貸出期間が満了して、S8段階での検索結果未延長の場合、図書館管理サーバ130は前記貸し出された電子図書の返却如何を検索する(S9)。
【００４４】
前記S9段階での検索結果未返却の場合、図書館管理サーバ130は前記貸し出された電子図書を自動で削除する(S10)。
【００４５】
また、図書館管理サーバ130は前記S9段階において未返却の場合、前記貸し出された電子図書を前記電子図書ウェブページで前記会員が閲覧することができないようにすることができる。
【００４６】
［第２実施例］
図３は本発明によるインターネットを用いた電子図書館運営システムの概略的な構成の他の実施例を示した図面であり、図４は本発明によるインターネットを用いた電子図書館運営方法の他の実施例を示した図面である。
【００４７】
まず、図３及び図４を参照すれば、ユーザは電子図書館からコンテンツまたは電子図書を借りるためにユーザPC210を用いてインターネット220を通じて図書館管理サーバ230のウェブページに接続し、会員認証を受ける(ST1, ST2)。このような会員認証手続は公知技術であるので、これに関する説明は省略することにする。
【００４８】
そうすると、図書館管理サーバ230は前記認証された会員に電子図書ウェブページを提供する(ST3)。
【００４９】
続いて、前記認証された会員はユーザPC210を用いて前記提供された電子図書ウェブページで望みのコンテンツまたは電子図書に関する目録を前記図書館管理サーバ230に転送し、前記図書館管理サーバ230は前記転送されたコンテンツまたは電子図書に関する目録を電子図書管理サーバ250に要請する(ST4)。前記コンテンツは一実施例として、E-ラーニングコンテンツ(E-Learning contents) あるいはデジタルコンテンツ(digital contents)などである。
【００５０】
そうすると、電子図書管理サーバ250は前記図書館管理サーバ230と連動して前記要請されたコンテンツまたは電子図書に関する目録を前記電子図書/コンテンツデータベース260で検索して前記図書館管理サーバ230に転送する(ST5)。
【００５１】
続いて、図書館管理サーバ230は前記電子図書管理サーバ250から転送されたコンテンツまたは電子図書に関する目録を電子図書ウェブページに提供(ST6)する。
【００５２】
これにより、前記認証された会員は前記電子図書ウェブページに提供されたコンテンツまたは電子図書に関する目録から望みのコンテンツまたは電子図書及び前記電子図書に対する貸出政策による電子図書貸出情報を選択し、前記ユーザPC210を用いて前記図書館管理サーバ230に転送する。
【００５３】
そうすると、図書館管理サーバ230は前記ユーザPC210から転送された前記会員が選択した電子図書に対する貸出政策による電子図書貸出情報を前記電子図書管理サーバ250に転送する(ST7)。前記貸出政策は一実施例として、ユーザ別電子図書貸出可能冊数及びユーザ別電子図書貸出期間などを含む。
【００５４】
続いて、電子図書管理サーバ250は前記図書館管理サーバ230から転送された電子図書貸出情報を電子図書/コンテンツデータベース260に格納した後、前記選択されたコンテンツをリアルタイムで前記図書館管理サーバ230に転送したり前記選択された電子図書を前記図書館管理サーバ230の電子図書ウェブページ内の前記会員のマイライブラリに貸出/格納するように提供する。この時、電子図書管理サーバ250は前記コンテンツまたは電子図書デジタル著作権管理(Digital Rights Management)認証を行った後、前記図書館管理サーバ230の電子図書ウェブページに提供することができる。
【００５５】
そうすると、図書館管理サーバ230は前記選択されたコンテンツを前記電子図書館サーバ250からリアルタイムで提供を受けて、前記電子図書ウェブページで前記会員に提供したり前記選択された電子図書を前記電子図書館サーバ250から貸出/格納されるように提供された前記選択された電子図書を前記電子図書ウェブページ内の前記会員のマイライブラリに借りて格納する(ST8)。
【００５６】
続いて、会員は前記ユーザPC210を用いてインターネット220を通じて図書館管理サーバ230の電子図書ウェブページでリアルタイムで提供される前記選択されたコンテンツを閲覧したり、前記電子図書ウェブページ内の前記会員のマイライブラリで貸し出された前記選択された電子図書を閲覧する。
【００５７】
その後、電子図書管理サーバ250は前記会員に貸し出された電子図書に対して前記貸出政策による電子図書貸出情報の貸出期間満了如何を検索(ST9)した後、前記ST9段階での検索結果、貸出期間が満了していない場合、貸出期間延長如何を検索する(ST10)。
【００５８】
前記ST10段階での検索結果延長されている場合、電子図書管理サーバ250は前記ST9段階を進行し、前記ST9段階での検索結果、前記貸出期間が満了して、ST10段階での検索結果未延長の場合、電子図書管理サーバ250は前記貸し出された電子図書の返却如何を検索する(ST11)。
【００５９】
前記ST11段階での検索結果未返却の場合、電子図書管理サーバ250は前記貸し出された電子図書を前記図書館管理サーバ230の電子図書ウェブページ内の前記会員のマイライブラリから自動で削除する(ST12)。
【００６０】
また、電子図書管理サーバ250は前記ST11段階において未返却の場合、前記貸し出された電子図書を前記電子図書ウェブページ内の前記会員のマイライブラリで前記会員が閲覧することができないようにすることができる。
【００６１】
以上説明した内容を通じて当業者であれば本発明の技術思想を逸脱しない範囲で多様な変更及び修正が可能であることが分かる。
【００６２】
従って、本発明の技術的範囲は実施例に記載された内容に限定されるものでなく、特許請求の範囲及びそれと均等なものによって定められなければならない。
【図面の簡単な説明】
【００６３】
【図１】本発明によるインターネットを用いた電子図書館運営システムの概略的な構成の一実施例を示した図面である。
【図２】本発明によるインターネットを用いた電子図書館運営方法の一実施例を示した図面である。
【図３】本発明によるインターネットを用いた電子図書館運営システムの概略的な構成の他の実施例を示した図面である。
【図４】本発明によるインターネットを用いた電子図書館運営方法の他の実施例を示した図面である。
【符号の説明】
【００６４】
110, 210 :ユーザPC                120, 220 :インターネット
130, 230 :図書館管理サーバ         140, 240 :図書館データベース
250 :電子図書管理サーバ            260 :電子図書/コンテンツデータベース
【図１】
2008262518.tif 000003
【図２】
2008262518.tif 000004
【図３】
2008262518.tif 000005
【図４】
2008262518.tif 000006